(57)【要約】  【課題】リモコン操作をし易くし、リモコン受信部と違う方向に向けてリモコン操作が行われることを防止し、受信性能がカバーの影響を受けず照明負荷の光の影響を受け難くする。  【解決手段】照明負荷と、これを保持するボディ３を備えるとともに、センサ４、リモコン受信部５、およびこれらから得られる信号を基に照明負荷を少なくとも点灯ないし消灯する点灯装置をボディ３に備える照明器具本体２と、ボディ３に取り付けられ照明負荷を覆うとともにボディ３の一の領域内を覆う透光性のカバー８とにより、照明器具を構成する。そして、センサ４およびリモコン受信部５を、それぞれ、検出面および受信部を外部に向けてボディ３の他の領域に並設する。【選択図】図１
2005302317.tif 000002
【特許請求の範囲】
【請求項１】
照明負荷と、
この照明負荷を保持するボディを備えるとともに、センサ、リモコン受信部、およびこれらセンサおよびリモコン受信部から得られる信号を基に前記照明負荷を少なくとも点灯ないし消灯する点灯装置を前記ボディに備える照明器具本体と、
この照明器具本体のボディに取り付けられ前記照明負荷を覆うとともに前記ボディの一の領域内を覆う透光性のカバーとにより構成され、
前記センサおよび前記リモコン受信部は、それぞれ、検出面および受信部を外部に向けて前記ボディの他の領域に並設されていることを特徴とする照明器具。
【請求項２】
前記リモコン受信部がリモコン送信機からリモコン信号を受信した場合に、そのリモコン信号を受信したことを利用者に知らせる報知部を前記ボディに備えていることを特徴とする請求項１記載の照明器具。
【請求項３】
壁面取付型であり、前記リモコン受信部は前記ボディの下部に設けられていることを特徴とする請求項１または２記載の照明器具。
【請求項４】
前記ボディの他の領域内であって、リモコン操作の際のリモコン送信機から遠ざかる側に位置する、前記リモコン受信部の隣に、反射部が並設され、この反射部は、前記リモコン送信機からのリモコン信号を前記リモコン受信部に反射することを特徴とする請求項１から３のいずれかに記載の照明器具。
【請求項５】
前記ボディの他の領域内であって、リモコン操作の際のリモコン送信機に近づく側に位置する、前記リモコン受信部の隣に、前記報知部としてリモコン信号を受信したことを利用者に音または音声で知らせる音出力部が並設されるとともに、それらリモコン受信部および音出力部間に反射部が介設され、この反射部は、前記音出力部からの音または音声を前記リモコン送信機に近づく側に反射する一方、前記ボディの所定の取付面側で反射してくる前記リモコン送信機からのリモコン信号を前記リモコン受信部に反射することを特徴とする請求項１から３のいずれかに記載の照明器具。
【請求項６】
前記センサおよび前記リモコン受信部は、前記ボディの他の領域に取り付けられた複数焦点レンズの一方の焦点位置および他方の焦点位置に、検出面および受信部をそれぞれ合わせ、前記複数焦点レンズを介して外部に向いていることを特徴とする請求項１から５のいずれかに記載の照明器具。
【発明の詳細な説明】
【技術分野】
【０００１】
本発明は、リモコン受信部を備える照明器具に関するものである。
【背景技術】
【０００２】
従来、この種の照明器具に備えられるリモコン受信部は、照明器具本体（ボディ内）に収納される。例えば、特許文献１に開示されている照明器具では、照明器具取付装置のアダプタにリモコン受信部（受光センサ部）が設けられ、このリモコン受信部は、照明器具取付装置が照明器具本体を支持しているときに、照明器具本体内に収納される構成になっている。
【０００３】
また、一般的に、照明器具本体内に収納されたリモコン受信部は、照明負荷とともにカバーにより覆われることになる。このカバーは、ガラスまたはアクリルなどにより透光性を有する所定形状に形成され、ランプイメージを良くするとともに内部が見えないようにするために乳白色などに着色ないし塗装される。
【０００４】
このほかの従来例としては、図６に示すように、放電灯（同図では口金型）などの照明負荷１と、照明器具本体２と、透光性のカバー８とにより構成される屋外の壁面取付型の照明器具がある。
【０００５】
照明器具本体２は、照明負荷１をソケット３１に装着して保持する有底筒状のボディ３を備えているとともに、センサ４と、リモコン受信部５と、これらセンサ４およびリモコン受信部５から得られる信号を基に、照明負荷１を少なくとも点灯ないし消灯する点灯装置７とをボディ３に備えている。なお、図６の例では、点灯装置７は、制御部７０および点灯装置本体７１により構成されている。
【０００６】
カバー８は、遮光性のカバー枠８１と、これに取り付けられる透光性のカバー体８２とにより構成され、カバー枠８１がボディ３の開口周部３ａにねじ止めされることにより、照明負荷１を覆うとともにボディ３の一の領域としての開口周部３ａ内を覆うようになっている。
【０００７】
そして、センサ４は、ボディ３の他の領域に含まれる側周部の下部に設けられ、例えば孔に取り付けられたレンズ４１を介して検出面を外部に向けるようになっている。一方、リモコン受信部５は、ボディ３の開口周部３ａ内に収納される点灯装置７の制御部７０に組み込まれてカバー８により覆われ、このカバー８のカバー体８２を介して受信部（受光部）を外部に向けるようになっている。
【特許文献１】特開２０００−０１１８４０号公報、図１
【発明の開示】
【発明が解決しようとする課題】
【０００８】
上記従来の照明器具では、照明負荷などが透光性のカバーにより覆われることで、内部がむき出しにならずに見栄えを良くすることができるほか、屋外でも使用可能となるのであるが、リモコン受信部もそのようなカバーで覆われてしまうと、リモコン受信部の位置が分からなくなり、リモコンをどこに向ければ良いのか分からなくなるので、リモコン操作がしづらくなるという問題があった。
【０００９】
また、図６に示す照明器具では、センサ４がリモコン受信部と間違われ、そのセンサ４に向けてリモコン操作が行われる傾向があった。この場合、照明器具が取り付けられている壁面寄りで、下方からセンサ４に向けてリモコン操作が行われると、リモコン送受信ができないことにもなり得る。
【００１０】
さらに、リモコン通信の主方式は赤外線式であるが、赤外線式の場合、リモコンからの赤外線信号がリモコン受信部に到達する前にカバーで減衰し、また照明負荷の点灯時にリモコン受信部がその光の影響を受けるので、受信性能が良くないという問題がある。
【００１１】
本発明は、上記事情に鑑みてなされたものであり、リモコン操作をし易くし、リモコン受信部の方向と違う方向に向けてリモコン操作が行われることを防止し、受信性能が、カバーの影響を受けないようにするとともに照明負荷の光の影響を受け難くすることができる照明器具を提供することを目的とする。
【課題を解決するための手段】
【００１２】
上記課題を解決するための請求項１記載の発明の照明器具は、照明負荷と、この照明負荷を保持するボディを備えるとともに、センサ、リモコン受信部、およびこれらセンサおよびリモコン受信部から得られる信号を基に前記照明負荷を少なくとも点灯ないし消灯する点灯装置を前記ボディに備える照明器具本体と、この照明器具本体のボディに取り付けられ前記照明負荷を覆うとともに前記ボディの一の領域内を覆う透光性のカバーとにより構成され、前記センサおよび前記リモコン受信部は、それぞれ、検出面および受信部を外部に向けて前記ボディの他の領域に並設されていることを特徴とする。
【００１３】
この構成では、リモコン受信部が外部に受信部を向けるので、リモコン操作がし易くなる。また、リモコン受信部がボディの他の領域にセンサとともに並設されるので、仮にセンサをリモコン受信部と間違えて、リモコン受信部と違うセンサの方向に向けてリモコン操作が行われても、実質的にリモコン受信部の方向に向けてリモコン操作が行われることになるので、リモコン受信部の方向と違う方向に向けてリモコン操作が行われることを防止することができる。さらに、リモコン受信部は、ボディの他の領域に設けられることにより、ボディの一の領域内を覆うカバーを介さずに、受信部を外部に向けることができるので、受信性能が、カバーの影響を受けないようにすることができるとともに照明負荷の光の影響を受け難くすることができる。
【００１４】
請求項２記載の発明は、請求項１記載の照明器具において、前記リモコン受信部がリモコン送信機からリモコン信号を受信した場合に、そのリモコン信号を受信したことを利用者に知らせる報知部を前記ボディに備えていることを特徴とする。この構成では、リモコン送信機からのリモコン信号がリモコン受信部で受信されたことを知ることができる。
【００１５】
請求項３記載の発明は、請求項１または２記載の照明器具において、壁面取付型であり、前記リモコン受信部は前記ボディの下部に設けられていることを特徴とする。この構成では、照明器具が取り付けられている壁面寄りで、照明器具の下方からリモコン操作が行われても、リモコン送受信が可能となる。
【００１６】
請求項４記載の発明は、請求項１から３のいずれかに記載の照明器具において、前記ボディの他の領域内であって、リモコン操作の際のリモコン送信機から遠ざかる側に位置する、前記リモコン受信部の隣に、反射部が並設され、この反射部は、前記リモコン送信機からのリモコン信号を前記リモコン受信部に反射することを特徴とする。この構成では、リモコンの受信性能を向上させることができる。
【００１７】
請求項５記載の発明は、請求項１から３のいずれかに記載の照明器具において、前記ボディの他の領域内であって、リモコン操作の際のリモコン送信機に近づく側に位置する、前記リモコン受信部の隣に、前記報知部としてリモコン信号を受信したことを利用者に音または音声で知らせる音出力部が並設されるとともに、それらリモコン受信部および音出力部間に反射部が介設され、この反射部は、前記音出力部からの音または音声を前記リモコン送信機に近づく側に反射する一方、前記ボディの所定の取付面側で反射してくる前記リモコン送信機からのリモコン信号を前記リモコン受信部に反射することを特徴とする。この構成では、反射部により、音出力部からの音または音声が利用者側に反射されるので、音出力部からの音または音声を聞き易くすることができる。また、反射部により、ボディの取付面側で反射してくるリモコン送信機からのリモコン信号がリモコン受信部に反射されるので、リモコンの受信性能を向上させることができる。
【００１８】
請求項６記載の発明は、請求項１から５のいずれかに記載の照明器具において、前記センサおよび前記リモコン受信部は、前記ボディの他の領域に取り付けられた複数焦点レンズの一方の焦点位置および他方の焦点位置に、検出面および受信部をそれぞれ合わせ、前記複数焦点レンズを介して外部に向いていることを特徴とする。この構成では、ボディに設ける孔や溝などの個数が一つで済むので、孔などを多く設ける場合に比べて気密性を良くすることができるとともに見栄えを良くすることができる。
【発明の効果】
【００１９】
本発明によれば、リモコン操作をし易くし、リモコン受信部の方向と違う方向に向けてリモコン操作が行われることを防止し、受信性能が、カバーの影響を受けないようにするとともに照明負荷の光の影響を受け難くすることができる。
【発明を実施するための最良の形態】
【００２０】
（実施形態１）
図１は本発明による実施形態１の照明器具の概略構成を示す側面図（ａ）および正面図（ｂ）である。
【００２１】
本実施形態１の照明器具は、図１に示すように、例えば屋外用の壁面取付型であり、放電灯などの照明負荷１（図６参照）と、照明器具本体２と、透光性のカバー８とにより構成されている。なお、正面視形状は、各種製品により図６に示した円状などの各種形状に設計されるが、図１の例では角状になっている。
【００２２】
照明器具本体２は、照明負荷１を例えばソケット３１（図６参照）に装着して保持する有底筒状のボディ３を備えているとともに、センサ４と、リモコン受信部５と、点灯装置７（図６参照）とをボディ３に備えている。
【００２３】
センサ４は、例えば、周囲照度の検出をする照度センサであり、周囲照度を示す信号を点灯装置７に出力するように構成される。
【００２４】
リモコン受信部５は、動作モードの変更や機能設定、操作などを行うために設けられ、図示しない赤外線式のリモコン送信機からの赤外線のリモコン信号を受光部（図示せず）で受信して、そのリモコン信号から得られるコードを含む信号を点灯装置７に出力するように構成される。なお、リモコン信号からコードを含む信号を得るための復調回路部などは、点灯装置７（制御部７０）に設けられる構成でもよい。
【００２５】
点灯装置７は、センサ４およびリモコン受信部５から得られる信号を基に、照明負荷１を少なくとも点灯ないし消灯するものであり、図６の例に示した照明器具と同様に、照明負荷１を少なくとも点灯ないし消灯する点灯装置本体７１と、制御部７０とにより構成される。
【００２６】
制御部７０は、例えばマイコンおよび可変の基準照度を設定するための基準照度設定回路部などにより構成され、本照明器具全般の制御などの処理を実行するものである。具体的には、リモコン受信部５から得られる信号に含まれるコードが、基準照度を設定するためのコードであれば、そのコードに応じて基準照度が設定される。また、センサ４から得られる信号により示される検出結果の周囲照度が基準照度よりも明るければ、点灯装置本体７１を通じて照明負荷１を消灯する一方、検出結果の周囲照度が基準照度よりも暗ければ、点灯装置本体７１を通じて照明負荷１を点灯する制御が実行される。
【００２７】
カバー８は、例えば図６に示した照明器具と同様に、遮光性のカバー枠８１と、これに取り付けられる透光性のカバー体８２とにより構成され、カバー枠８１がボディ３の開口周部に取り付けられることにより、照明負荷１を覆うとともにボディ３の一の領域としての開口周部内を覆うようになっている。
【００２８】
そして、本実施形態１の特徴として、センサ４およびリモコン受信部５は、それぞれ、検出面および受光部を外部に向けてボディ３の他の領域に含まれる側周部の下部に並設されている。具体例としては、センサ４は、ボディ３の側周部の下部中央に穿設された孔または切り欠けなどの貫通部に装着されるレンズ（図示せず）を介して、検出面を外部に向けるように構成される。一方、リモコン受信部５は、センサ４の右方に並設され、ボディ３の側周部の下部右方に穿設された孔または切り欠けなどの貫通部に装着される、赤外線の受光に適したカバー（図示せず）を介して、受光部を外部に向けるように構成される。そして、それらセンサ４およびリモコン受信部５は、例えば図示しない信号線などを介して制御部７０に接続される。
【００２９】
次に、本実施形態１の照明器具の動作例について説明する。先ず、本照明器具の設定時の動作について説明する。リモコン送信機に対して基準照度を設定するための操作をすれば、基準照度を設定するためのコードを含む赤外線のリモコン信号がリモコン送信機から送信される。そのリモコン信号がリモコン受信部５で受信されると、そのリモコン信号から得られるコードを含む信号が点灯装置７の制御部７０に出力される。そのコードを含む信号が制御部７０に受信されると、基準照度設定回路部の基準照度がそのコードに応じて所望のレベルに設定される。
【００３０】
次に、本照明器具の通常動作について説明する。点灯装置７において、センサ４から得られる検出結果の周囲照度が基準照度よりも明るければ、制御部７０が点灯装置本体７１を通じて照明負荷１を消灯する。これにより、照明負荷１は、消灯状態になるか消灯状態を保持する。
【００３１】
この後、センサ４から得られる検出結果の周囲照度が基準照度よりも暗ければ、制御部７０が点灯装置本体７１を通じて照明負荷１を点灯する。これにより、照明負荷１は、点灯状態になる。そして、これ以降、上記一連の通常動作が繰り返し実行される。
【００３２】
以上、本実施形態１によれば、リモコン受信部５が外部に受光部を向けるので、リモコン操作がし易くなる。
【００３３】
また、リモコン受信部５がボディ３の他の領域にセンサ４とともに並設されるので、仮にセンサ４をリモコン受信部５と間違えて、リモコン受信部５と違うセンサ４の方向に向けてリモコン操作が行われても、実質的にリモコン受信部５の方向に向けてリモコン操作が行われることになるので、リモコン受信部５の方向と違う方向に向けてリモコン操作が行われることを防止することができる。
【００３４】
さらに、リモコン受信部５は、ボディ３の他の領域に設けられることにより、ボディ３の一の領域内を覆うカバー８を介さずに、受光部を外部に向けることができるので、受信性能が、カバー８の影響を受けないようにすることができるとともに照明負荷１の光の影響を受け難くすることができる。
【００３５】
また、本実施形態１のように、屋外の壁面取付型の場合に、センサ４およびリモコン受信部５をボディ３の側周部の下部に並設することにより、照明器具が取り付けられている壁面寄りで、照明器具の下方からリモコン操作が行われても、リモコン送受信が可能となる。また、受信性能が太陽光の影響を受け難くすることができるほか、壁面で反射するリモコン信号がリモコン受信部５で受信されるので、受信性能を良くすることができる。これにより、指向性に関係なく低出力の安価なリモコン送信機を使用することができる。また、指向性が鋭く出力の低いリモコン送信機の使用が可能になることで、固有の識別情報を使用しなくても、近隣の照明器具の誤設定を防止することができる。
【００３６】
なお、実施形態１の変形例として、センサ４およびリモコン受信部５は、ボディ３の他の領域に含まれる側周部の下部下面に並設され、その下部に穿設された貫通部に挿通される信号線を介して、制御部７０に接続される構成でもよい。また、センサ４およびリモコン受信部５のうち、一方がボディ３の下部中央に設けられ、他方がその近傍に設けられる構成でも、双方が下部中央に設けられる構成でもよい。さらに、ボディ３の下部に、左右対称となるように並設される構成でもよい。
【００３７】
また、実施形態１の照明器具は、屋外の壁面取付型になっているが、本発明の照明器具は、屋外用に限らず屋内用でもよく、また、天井取付型でも、据え置き型でも、ポール型などでもよい。
【００３８】
さらに、実施形態１の変形例として、センサ４は、検出結果の周囲照度と基準照度との比較をし、検出結果の周囲照度が基準照度よりも明るければ明信号を出力し、検出結果の周囲照度が基準照度よりも暗ければ暗信号を出力する一方、制御部７０は、センサ４から得られる信号が明信号であれば、点灯装置本体７１を通じて照明負荷１を消灯し、センサ４から得られる信号が暗信号であれば、点灯装置本体７１を通じて照明負荷１を点灯する制御を実行する構成でもよい。
【００３９】
（実施形態２）
本発明による実施形態２の照明器具は、実施形態１との相違点として、例えば屋内用であり、照度センサに代えて、周囲の所定検出エリア内に人が居るかどうかの検出をする人検出センサ（例えば焦電型赤外線センサ）によりセンサ４を構成し、制御部７０が、人検出センサおよびリモコン受信部５から得られる信号を基に、照明負荷１を少なくとも点灯ないし消灯することを特徴とする。
【００４０】
さらに詳述すると、本実施形態２の制御部７０は、リモコン受信部５から得られる信号に含まれるコードが、保持時間を設定するためのコードであれば、そのコードに応じて保持時間を設定する。また、センサ４から人が居ることを示す信号が得られる毎に、保持時間の計時を開始し、その保持時間、照明負荷１を点灯し、保持時間の経過後に照明負荷１を消灯する制御が実行される。
【００４１】
次に、本実施形態２の照明器具の動作例について説明する。先ず、本照明器具の設定時の動作について説明する。リモコン送信機に対して保持時間を設定するための操作をすれば、保持時間を設定するためのコードを含む赤外線のリモコン信号がリモコン送信機から送信される。そのリモコン信号がリモコン受信部５で受信されると、そのリモコン信号から得られるコードを含む信号が点灯装置７の制御部７０に出力される。そのコードを含む信号が制御部７０に受信されると、保持時間がそのコードに応じて所望の時間に設定される。
【００４２】
次に、本照明器具の通常動作について説明する。点灯装置７において、センサ４から人が居ることを示す信号が得られる毎に、保持時間の計時が開始され、その保持時間、照明負荷１が点灯される。そして、保持時間の経過後は照明負荷１が消灯される。そして、これ以降も、上記一連の通常動作が繰り返し実行される。
【００４３】
以上、本実施形態２によれば、実施形態１と同様に、リモコン操作をし易くし、リモコン受信部５の方向と違う方向に向けてリモコン操作が行われることを防止し、受信性能が、カバー８の影響を受けないようにするとともに照明負荷１の光の影響を受け難くすることができる。
【００４４】
なお、実施形態１，２の変形例として、センサ４が、照度センサおよび人検出センサを備え、点灯装置本体７１が調光機能を有し、制御部７０が、照度センサ、人検出センサおよびリモコン受信部５から得られる信号を基に、点灯装置本体７１を通じて照明負荷１を点灯、調光ないし消灯するように構成してもよい。この場合、制御部７０は、周囲照度が基準照度よりも明るければ、照明負荷１を消灯する一方、周囲照度が基準照度よりも暗ければ、人が居るとの検出結果が得られる毎に保持時間の計時を開始し、その保持時間、照明負荷１を点灯（全点灯）し、保持時間の経過後、照明負荷１を調光するように構成してもよい。
【００４５】
（実施形態３）
本発明による実施形態３の照明器具は、実施形態１との相違点として、リモコン受信部５がリモコン送信機からリモコン信号を受信した場合に、そのリモコン信号を受信したことを利用者に知らせる報知部をボディ３に備えていることを特徴とする。報知部は、例えば、リモコン受信部５近傍に設けられるＬＥＤ、またはリモコン受信部５近傍もしくはボディ３内に設けられるブザーにより構成され、制御部７０により駆動される。
【００４６】
このような構成の本実施形態３によれば、リモコン送信機からのリモコン信号がリモコン受信部５で受信されたことを知ることができる。また、報知部をブザーで構成する場合には、周囲の明るさに関係なく、リモコン送信機からのリモコン信号がリモコン受信部５で受信されたことを知ることができる。
【００４７】
（実施形態４）
図２は本発明による実施形態４の照明器具の概略構成を示す図である。
【００４８】
本実施形態４の照明器具は、図２に示すように、実施形態１，２との相違点として、ボディ３の他の領域内であって、リモコン操作の際のリモコン送信機９から遠ざかる側に位置する、リモコン受信部５の隣に、下方に突出する板状の反射部３２が並設され、この反射部３２が、リモコン送信機９からの赤外線のリモコン信号をリモコン受信部５に反射することを特徴とする。なお、反射部３２は、ボディ３に一体に設けられる構成でも、別体として着脱自在に設けられる構成でもよい。
【００４９】
このような構成の本実施形態４によれば、本照明器具が取り付けられる壁面の反射率に関係なく、リモコン送信機９からの赤外線のリモコン信号をリモコン受信部５に反射することができるので、リモコンの受信性能を向上させることができる。
【００５０】
なお、実施形態４では、実施形態１と同様に、壁面取付型の照明器具になっているが、これに限らず、図３の例に示すように、ポール型の照明器具でも実施形態４と同様の効果を奏することができる。
【００５１】
ここで、図３の例において、照明器具本体２のボディ３は、例えば中空円筒状に形成され、点灯装置７を内部に収納するとともに、照明負荷１を例えばソケット３１に装着して上方端面上に保持する。カバー８は、例えば下方に開口する有底円筒状に形成され、ボディ３の上方端面周部に取り付けられることにより、照明負荷１を覆うとともにボディ３の一の領域としての上方端面周部内を覆う。そして、センサ４およびリモコン受信部５は、それぞれ、検出面および受光部を外部に向けてボディ３の他の領域に含まれる側周部の上部に並設される。
【００５２】
このような構成において、ボディ３の他の領域内であって、リモコン操作の際のリモコン送信機９から遠ざかる側に位置する、リモコン受信部５の隣に、ボディ３の半径方向に突出する板状または扇状の反射部３２が並設される。これにより、リモコン送信機９からの赤外線のリモコン信号が反射部３２によりリモコン受信部５に反射されるので、リモコンの受信性能を向上させることができる。
【００５３】
（実施形態５）
図４は本発明による実施形態５の照明器具の概略構成を示す図である。
【００５４】
本実施形態５の照明器具は、図４に示すように、実施形態１，２との相違点として、ボディ３の他の領域内であって、リモコン操作の際のリモコン送信機９に近づく側に位置する、リモコン受信部５の隣に、リモコン信号を受信したことを利用者に音で知らせる報知部としての音出力部６が並設されるとともに、それらリモコン受信部５および音出力部６間に反射部３２が介設されることを特徴とする。
【００５５】
音出力部６は、リモコン信号を受信したことを利用者にブザー音Ｃで知らせるブザーにより構成され、リモコン受信部５がリモコン送信機からリモコン信号を受信した場合に、制御部７０により駆動される。
【００５６】
そして、反射部３２は、音出力部６からのブザー音Ｃをリモコン送信機９に近づく側に反射する一方、ボディ３の所定の取付面Ａ側で反射してくるリモコン送信機９からのリモコン信号Ｂをリモコン受信部５に反射するようになっている。なお、反射部３２は、ボディ３に一体に設けられる構成でも、別体として着脱自在に設けられる構成でもよい。
【００５７】
このような構成の本実施形態５によれば、反射部３２により、音出力部６からのブザー音Ｃが利用者側に反射されるので、音出力部６からのブザー音Ｃを聞き易くすることができる。これにより、ブザー音Ｃを効率的に出力することができるので、比較的騒音の大きい時間帯や場所でも、リモコン信号を受信したことを利用者に知らせることができ、夜間においては、効率的に出力されるブザー音Ｃで、リモコン信号を受信したことを利用者に知らせることができる。
【００５８】
また、反射部３２により、ボディ３の取付面Ａ側で反射してくるリモコン送信機９からのリモコン信号Ｂがリモコン受信部５に反射されるので、リモコンの受信性能を向上させることができる。
【００５９】
なお、実施形態５の変形例として、音出力部６を音声合成・出力部により構成し、リモコン信号を受信したことを利用者に音声で知らせるようにしてもよい。
【００６０】
（実施形態６）
図５は本発明による実施形態６の照明器具の概略構成を示す図である。
【００６１】
本実施形態６の照明器具は、図５に示すように、実施形態１〜４との相違点として、センサ４およびリモコン受信部５が、ボディ３の他の領域の貫通部に取り付けられた、赤外線集光用の複数焦点レンズ４１の一方の焦点位置および他方の焦点位置に、検出面および受光部をそれぞれ合わせ、複数焦点レンズ４１を介して外部に向いていることを特徴とする。ここで、センサ４は、照度センサおよび人検出センサ（例えば焦電型赤外線センサ）を備え、人検出センサは、複数焦点レンズ４１の一方の焦点位置に設けられ、照度センサは、その人検出センサの近傍に設けられる。
【００６２】
このような構成の本実施形態６によれば、ボディ３に設ける孔や溝などの個数が一つで済むので、孔などを多く設ける場合に比べて気密性を良くすることができるとともに見栄えを良くすることができる。
【図面の簡単な説明】
【００６３】
【図１】本発明による実施形態１の照明器具の概略構成を示す側面図（ａ）および正面図（ｂ）である。
【図２】本発明による実施形態４の照明器具の概略構成を示す図である。
【図３】実施形態４の変形例を示す図である。
【図４】本発明による実施形態５の照明器具の概略構成を示す図である。
【図５】本発明による実施形態６の照明器具の概略構成を示す図である。
【図６】従来の照明器具を示す一部分解斜視図である。
【符号の説明】
【００６４】
１  照明負荷
２  照明器具本体
３  ボディ
３１  ソケット
３２  反射部
４  センサ
５  リモコン受信部
６  音出力部
７  点灯装置
７１  点灯装置本体
７０  制御部
８  カバー
９  リモコン送信機
【図１】
2005302317.tif 000003
【図２】
2005302317.tif 000004
【図３】
2005302317.tif 000005
【図４】
2005302317.tif 000006
【図５】
2005302317.tif 000007
【図６】
2005302317.tif 000008